(57)【要約】【課題】汎用の表示装置を用いながら、第２の処理部によって表示装置に表示がなされている場合であっても、第１の処理部でイベントが発生したことを表示することにある。【解決手段】記録再生処理部１１は、映像データを処理する信号処理部１１２を含む。再生処理部１２は、映像データを処理する信号処理部１２２と信号処理部１２２によって処理された映像データを表示するために出力する表示出力部１２３とを含み、記録再生処理部１１とは独立して構成される。マイコン部１１１は、記録再生処理部１１で発生したイベントを検知する。マイコン部１１１は、イベントが検知されたときに、表示出力部１２３によって出力された映像データがモニタ装置２０に表示されている場合、イベントが発生したことを表示するように再生処理部１２に対して要求する。表示出力部１２３は、要求があった場合に、検知されたイベントが発生したことを示すデータを出力する。【選択図】      図１
2007336071.tif 000002
【特許請求の範囲】
【請求項１】
映像データを処理する信号処理手段を含む第１の処理手段と、
映像データを処理する信号処理手段と当該信号処理手段によって処理された映像データを表示するために出力する表示出力手段とを含み、前記第１の処理手段とは独立して構成される第２の処理手段と、
前記第１の処理手段でイベントが発生した旨を告知するためのメッセージが発生したことを検知する検知手段と、
前記第２の処理手段に含まれる前記表示出力手段によって出力された映像データが外付けの表示装置に表示されているか否かを認識する認識手段と、
前記検知手段によって前記メッセージが発生したことが検知されたときに、前記表示出力手段によって出力された映像データが前記外付けの表示装置に表示されていると前記認識手段によって認識された場合、前記検知手段によって検知されたメッセージが発生したことを示すデータを前記外付けの表示装置に出力する代替表示出力手段と
を具備することを特徴とする記録再生装置。
【請求項２】
前記第１の処理手段及び前記第２の処理手段は、前記外付けの表示装置を共有することを特徴とする請求項１記載の記録再生装置。
【請求項３】
前記メッセージの種類に応じて、予め設定された当該メッセージの重要度を示すレベルを格納する格納手段と、
前記格納手段に格納されるレベルに基づいて、前記メッセージが発生したことを表示するように要求する要求手段とを更に具備し、
前記代替表示出力手段は、
前記要求手段による要求に基づいて、前記メッセージが発生したことを示すデータを前記外付けの表示装置に出力する
ことを特徴とする請求項１記載の記録再生装置。
【請求項４】
前記第１の処理手段は、当該第１の処理手段で発生したメッセージを、出力するメッセージ出力手段を有し、
前記レベルは、前記メッセージ出力手段によって出力された前記メッセージがユーザによって確認されるまで表示されるかに応じて設定されており、
前記要求手段は、前記格納手段に格納されるレベルに基づいて、ユーザによって確認されるまで表示されるメッセージが前記第１の処理手段で発生した場合に、当該メッセージが発生したことを示す表示を要求する
ことを特徴とする請求項３記載の記録再生装置。
【請求項５】
各種データを表示する表示手段を更に具備し、
前記表示出力手段は、前記検知手段によって検知されたメッセージが発生したことを示すデータを、前記表示手段に出力することを特徴とする請求項１記載の記録再生装置。
【請求項６】
各種音声データを出力する音声出力手段を更に具備し、
前記表示出力手段は、前記検知手段によって検知されたメッセージが発生したことを示す音声データを、前記音声出力手段に出力することを特徴とする請求項１記載の記録再生装置。
【請求項７】
映像データを処理する信号処理手段を含む第１の処理手段と、映像データを処理する信号処理手段と当該信号処理手段によって処理された映像データを表示するために出力する表示出力手段とを含み、前記第１の処理手段とは独立して構成される第２の処理手段とを備える記録再生装置に適用される代替表示方法であって、
前記第１の処理手段でイベントが発生し、当該イベントが発生した旨を告知するためのメッセージが発生したことを検知するステップと、
前記第２の処理手段に含まれる前記表示出力手段によって出力された映像データが外付けの表示装置に表示されているか否かを認識するステップと、
前記メッセージが発生したことが検知されたときに、前記表示出力手段によって出力された映像データが前記外付けの表示装置に表示されていると認識された場合、前記検知されたメッセージが発生したことを表示するように前記第２の処理手段に対して要求するステップと、
前記要求がされた場合に、前記検知されたメッセージが発生したことを示すデータを出力するステップと
を具備することを特徴とする代替表示方法。
【発明の詳細な説明】
【技術分野】
【０００１】
本発明は、記録再生装置及び代替表示方法に関し、特に記録処理または再生処理する互いに独立して構成された複数の処理部を有する装置及び方法に関する。
【背景技術】
【０００２】
近年、例えば映像データを記録及び再生する機能を有する処理部（第１の処理部）、または映像データを再生する機能を有する処理部（第２の処理部）であって、互いに独立して構成された複数の処理部を備える記録再生装置が開発されている。
【０００３】
このような記録再生装置では、一般的に第１及び第２の処理部で表示装置を共有する。この記録再生装置では、第１の処理部によって処理された例えば映像データが表示装置に表示されると、第２の処理部によって処理された例えば映像データは表示されない。同様に、第２の処理部によって処理された例えば映像データが表示装置に表示されると、第１の処理部によって処理された例えば映像データは表示されない。
【０００４】
ここで、例えば第２の処理部によって再生処理された映像データが表示装置に表示された状態で、例えば第１の処理部によって映像データを記録する場合を想定する。この場合、例えば記録しようとしたにも拘らず記録できない等のイベントが第１の処理部側で発生した場合であっても、表示装置では第２の処理部によって再生処理された映像データが表示されているため、ユーザは当該イベントを告知するメッセージを確認できない。
【０００５】
また、通常、第２の処理部によって再生処理された映像データが表示装置に表示されている場合、例えば第１の処理部でイベントが発生したことを告知するメッセージが発生したことに応じて、自動で表示装置を第１の処理部に関する情報を表示するように切り替えることはできない。
【０００６】
そこで、ユーザが見ている画像に依存しない制御情報を伝達、表示する技術が提案されている（例えば、特許文献１を参照）。この先行技術によれば、ユーザが確認したいときに、見ている画像とは関係なしに、必要な動作情報を知ることができる。
【特許文献１】特開平５−２８４５８１号公報
【発明の開示】
【発明が解決しようとする課題】
【０００７】
上記した先行技術では、制御情報を表示するために例えば多機能ＴＶのＯＳＤ（On Screen Display）機能を用い、ＴＶ内部の情報を出力するだけでなく、外部から提供された各情報を出力する。
【０００８】
しかしながら、先行技術では、表示装置に外部情報の表示出力機能が必要となり、特に汎用の表示装置では本機能を実現できない場合がある。
【０００９】
本発明の目的は、汎用の表示装置を用いながら、第２の処理部によって表示装置に表示がなされている場合であっても、第１の処理部でイベントが発生したことを表示する記録再生装置を提供することにある。
【課題を解決するための手段】
【００１０】
本発明の１つの態様によれば、映像データを処理する信号処理手段を含む第１の処理手段と、映像データを処理する信号処理手段と当該信号処理手段によって処理された映像データを表示するために出力する表示出力手段とを含み、前記第１の処理手段とは独立して構成される第２の処理手段と、前記第１の処理手段でイベントが発生し、当該イベントが発生した旨を告知するためのメッセージが発生したことを検知する検知手段と、前記第２の処理手段に含まれる前記表示出力手段によって出力された映像データが外付けの表示装置に表示されているか否かを認識する認識手段と、前記検知手段によって前記メッセージが発生したことが検知されたときに、前記表示出力手段によって出力された映像データが前記外付けの表示装置に表示されていると前記認識手段によって認識された場合、前記検知手段によって検知されたメッセージが発生したことを表示するように前記第２の処理手段に対して要求する表示要求手段と、前記表示要求手段によって要求された場合に、前記検知手段によって検知されたメッセージが発生したことを示すデータを出力する代替表示出力手段とを具備する記録再生装置が提供される。
【発明の効果】
【００１１】
本発明によれば、汎用の表示装置を用いながら、第２の処理部によって表示装置に表示がなされている場合であっても、第１の処理部でイベントが発生したことを表示することが可能となる。
【発明を実施するための最良の形態】
【００１２】
以下、図面を参照して、本発明の実施形態について説明する。
【００１３】
まず、図１を参照して、本実施形態に係る記録再生装置１０の構成について説明する。図１は、本実施形態に係る記録再生装置１０の構成を示すブロック図である。
【００１４】
記録再生装置１０は、例えばリモコンユニット（図示せず）から赤外線信号などによって送信されるリモコンコードに応じて、例えば放送番組等の映像データの記録及び再生動作を制御するように構成されている。
【００１５】
記録再生装置１０は、図１に示すように、第１の処理部１１、第２の処理部１２、記憶部１３及び表示切替部１４を備える。
【００１６】
本実施形態においては、第１の処理部１１は、映像データを記録または再生処理する記録再生処理部１１として実現されている。第２の処理部１２は、映像データを再生処理する再生処理部１２として実現されている。
【００１７】
また、記録再生処理部（第１の処理部）１１及び再生処理部（第２の処理部）１２は、それぞれ独立して構成されており、記録再生装置１０の外部に設けられるモニタ装置２０を共有する。通常、記録再生装置処理部１１または再生処理部１２のいずれか一方がモニタ装置２０を占有し、例えばユーザの操作によって互いに占有を切り替えることができる。
【００１８】
記録再生処理部１１は、例えばメディアから映像データを取得し、当該映像データを再生する処理を実行する。また、記録再生処理部１１は、圧縮符号化されたデジタルデータ列に変換された放送番組等の映像データを例えば記憶部１３に記録する処理を実行する。記録再生処理部１１は、マイクロコンピュータ（以下、マイコンと表記）部１１１、信号処理部１１２及び表示出力部１１３を含む。
【００１９】
マイコン部１１１は、記録再生処理部１１の各コンポーネントの動作を制御する。また、マイコン部１１１は、例えば各種プログラムを格納するメモリ１１１ａを含む。マイコン部１１１は、記録再生処理部１１または再生処理部１２のいずれがモニタ装置２０を占有しているかを認識する機能を有する。マイコン部１１１は、記録再生処理部１１でイベントが発生し、その結果当該イベントが発生した旨をユーザに対して告知するためのメッセージが発生したことを検知する。イベントは、例えば記録再生処理部１１による記録処理において、ある原因により当該処理が停止する等が挙げられる。
【００２０】
また、マイコン部１１１は、記録再生処理部１１で上記したメッセージが発生したことを検知すると、当該メッセージが発生したことを表示するように、再生処理部１２に対して要求する機能も有する。このとき、マイコン部１１１は、発生したメッセージのレベルに応じて、表示を要求するか否かを判定する。レベルは、メッセージ毎に予め設定されており、当該メッセージの重要度を示す。このレベルの詳細については、後述する。
【００２１】
信号処理部１１２は、マイコン部１１１の制御の下、映像データを記録または再生するための処理を実行する。信号処理部１１２は、例えば圧縮符号化された映像データを復号するためのデコード処理、または例えばチューナ部（図示せず）から入力される放送番組の映像データをデジタル圧縮符号化するためのエンコード処理を実行する。
【００２２】
表示出力部１１３は、信号処理部１１２によって処理された映像データを例えば表示切替部１４に出力する。また、表示出力部１１３は、記録再生処理部１１で発生したイベントをユーザに対して告知するためのメッセージを示すデータを出力する。
【００２３】
再生処理部１２は、例えばメディアから映像データを取得し、当該映像データを再生する処理を実行する。再生処理部１２は、マイコン部１２１、信号処理部１２２及び表示出力部１２３を含む。
【００２４】
マイコン部１２１は、再生処理部１２の各コンポーネントの動作を制御する。また、マイコン部１２１は、例えば各種プログラムを格納するメモリ１２１ａを含む。マイコン部１２１は、記録再生処理部１１または再生処理部１２のいずれがモニタ装置２０を占有しているかを認識する機能を有する。
【００２５】
信号処理部１２２は、マイコン部１２１の制御の下、映像データを再生するための処理を実行する。信号処理部１２２は、例えば圧縮符号化された映像データを復号するためのデコード処理を実行する。
【００２６】
表示出力部１２３は、信号処理部１２２によって処理された映像データを例えばモニタ装置２０に表示するために、表示切替部１４に出力する。また、表示出力部１２３は、記録再生処理部１１でメッセージが発生したことを表示するようにマイコン部１１１から要求されると、当該メッセージが発生したことを示すデータを表示切替部１４に出力する。つまり、表示出力部１２３は、記録再生処理部１１でメッセージが発生したことを、記録再生部１１の代わりに表示（代替表示）するためのデータを出力する。
【００２７】
記憶部１３は、マイコン部１１１またはマイコン部１２１の制御の下、圧縮符号化されたデジタルデータ列に変換された映像データを記録する処理または記録された映像データを読み出す処理を実行するハードディスクドライブ部を含む。
【００２８】
また、記憶部１３は、ＤＶＤ−ＲＡＭ／ＤＶＤ−Ｒ等の記録型メディアＤに対するリード／ライト処理を実行する光ディスクドライブ部を含む。例えば光ディスクドライブの一例であるＤＶＤ（Digital Versatile Disc）ドライブは、ＤＶＤ−ＲＯＭメディアのような記録型メディアからのデータのリード処理も実行することができる。
【００２９】
表示切替部１４は、ユーザによって操作される例えばリモコンユニットから赤外線信号などによって送信されるリモコンコードに応じて、モニタ装置２０を占有する処理部つまり記録再生処理部１１または再生処理部１２を切り替える。この際、表示切替部１４は、記録再生処理部１１または再生処理部１２の動作には影響を与えない。つまり、例えばモニタ装置２０の占有が、記録再生処理部１１から再生処理部１２に切り替えられた場合であっても、記録再生処理部１１による処理は実行される。
【００３０】
また、表示切替部１４は、モニタ装置２０を占有する処理部（記録再生処理部１１または再生処理部１２）の表示出力部（表示出力部１１３または表示出力部１２３）によって出力されるデータをモニタ装置２０に出力する。
【００３１】
例えば、記録再生処理部１１の表示出力部１１３によって出力されている各種データがモニタ装置２０に表示されている場合において、表示切替部１４によってモニタ２０の占有が再生処理部１２に切り替えられると、モニタ装置２０には再生処理部１２の表示出力部１２３によって出力される例えば映像データが表示される。
【００３２】
次に、図２のフローチャートを参照して、記録再生装置１０による代替表示の処理手順及びモニタ装置２０の表示の一例について説明する。
【００３３】
まず、例えばユーザが記録再生処理部１１を動作させると、記録再生処理部１１の表示出力部１１３によって出力された例えば再生処理されたデータがモニタ装置２０に表示される（ステップＳ１）。このとき、記録再生処理部１１がモニタ装置２０を占有している。記録再生処理部１１のマイコン部１１１は、当該記録再生処理部１１がモニタ装置２０を占有していることを認識する。
【００３４】
次に、例えばユーザがモニタ装置２０の占有を切り替える操作を行った場合、表示切替部１４は、モニタの占有が記録再生処理部１１から再生処理部１２へ切り替える（ステップＳ２）。そこで、例えばユーザが再生処理部１２を動作させると、再生処理部１２の表示出力部１２３によって出力されるデータがモニタ装置２０に表示される（ステップＳ３）。このとき、再生処理部１２のマイコン部１２１は、再生処理部１２がモニタ装置２０を占有していることを認識する。
【００３５】
ここで、再生処理部１２に関係なく、記録再生処理部１１でイベントが発生したものとする（ステップＳ４）。このとき、当該イベントが発生したことをユーザに告知するためのメッセージが発生する。記録再生処理部１１のマイコン部１１１は、このメッセージが発生したことを検知する。記録再生処理部１１の表示出力部１１３は、マイコン部１１１によってメッセージが発生したことが検知されると、当該メッセージを表示切替部１４に出力する。なお、この場合、モニタ装置２０は再生処理部１２に占有されているので、表示切替部１４は、上記したメッセージをモニタ装置２０に出力しない。つまり、モニタ装置２０には、当該メッセージは表示されない。
【００３６】
次に、マイコン部１１１は、記録再生処理部１１で発生したメッセージのレベルを確認する（ステップＳ５）。メッセージのレベルは、予め設定されており、マイコン部１１１内のメモリ１１１ａに格納されている。
【００３７】
レベルは、イベントをユーザに告知するためのメッセージの重要度を示す。このレベルは、メッセージが例えばモニタ装置２０に表示された場合、当該メッセージが例えばユーザによって確認されるまで表示されるか否かに応じて設定される。例えばユーザによって確認されるまで表示されるメッセージについては高（high）レベル、ユーザによって確認されなくても例えば数秒程度で消去されるメッセージについては低（low）レベルに設定されている。なお、ユーザによって確認された旨は、メッセージ付近に表示された例えば「了解」ボタンがユーザによって押下（選択）されることによって記録再生装置１０に通知される。
【００３８】
マイコン部１１１は、記録再生処理部１１で発生したメッセージのレベルに応じて、検知されたメッセージが発生したことを表示するように、再生処理部１２に対して要求するか否かを判定する（ステップＳ６）。
【００３９】
マイコン部１１１は、記録再生処理部１１で発生したメッセージのレベルが高レベルである場合に、再生処理部１２に対して表示を要求する（ステップＳ７）。再生処理部１２が当該要求を受け取ると、再生処理部１２の表示出力部１２３は、記録再生処理部１１でメッセージが発生したことを示すデータを表示切替部１４に出力する。この場合、表示切替部１４は、表示出力部１２３によって出力されたデータをモニタ装置２０に出力する（ステップＳ８）。これにより、記録再生処理部１１でメッセージが発生したことを、代替表示することが可能となる。
【００４０】
なお、ステップＳ６において、検知されたイベントのレベルが低レベルである場合には、再生処理部１２に対して要求はされない。よって、記録再生装置１０による代替表示処理は行なわれない。
【００４１】
ここで、図３は、上記した記録再生処理部１１でメッセージが発生したことを示すデータが表示出力部１２３によって出力され、モニタ装置２０に表示された際のモニタ装置２０の表示画面２００の例である。
【００４２】
図３に示すように、記録再生処理部１１でメッセージが発生したことを示すデータが、表示切替部１４からモニタ装置２０に出力されると、表示画面２００の例えばタイトル名等が表示されている領域付近にアイコン２０１が表示される。このアイコン２０１は、記録再生処理部１１でメッセージが発生したことを示す。このアイコン２０１を確認することによって、ユーザは、記録再生処理部１１側でメッセージが発生したことを認識することが可能となる。
【００４３】
再び図２に戻ると、モニタ装置２０の表示画面に例えば図３に示すようなアイコン２０１が表示されている際に、ユーザの操作によって表示切替部１４によってモニタ装置２０の占有が再生処理部１２から記録再生処理部１１へ切り替えられると（ステップＳ９）、再生処理部１２は、前述したアイコン２０１を消去する。そして、記録再生処理部１１の表示出力部１１３によって出力されているデータが、モニタ装置２０に表示される。このとき、表示出力部１１３は、前述したように記録再生処理部１１で発生したイベントを告知するためのメッセージを出力しているため、モニタ装置２０には当該メッセージが表示される（ステップＳ１０）。
【００４４】
ユーザによって、モニタ装置２０に表示された記録再生処理部１１で発生したイベントを告知するためのメッセージが確認されると当該メッセージは消去され、記録再生装置１０は、代替表示処理を終了する。
【００４５】
図４に、記録再生処理部１１で発生したイベントを告知するメッセージが表示されたモニタ装置２０の表示画面２００の例を示す。ここで、記録再生処理部１１で発生したイベントは、録画予約によって録画が開始する際に、例えば記録メディアの容量が不足していたため録画することができなかったことであるものとして説明する。
【００４６】
この場合、図４に示すように、表示画面２００には、「録画予約の開始時刻になりましたが、容量がないため実行できませんでした」と表示され、例えばユーザが確認した旨を記録再生装置１０に通知するための「了解」ボタン２０２が表示されている。このような画面を確認することで、ユーザは、記録再生処理部１１側でどのようなイベントが発生したかを認識することが可能となる。また、ユーザが確認を終了し、「了解」ボタン２０２を選択することでメッセージは消去される。
【００４７】
次に、図５を参照して、ユーザ、記録再生処理部１１、再生処理部１２及びモニタ装置２０相互間における代替表示処理の流れについて説明する。
【００４８】
まず、例えばリモコンユニットを用いることによって、ユーザがモニタ装置２０の表示を記録再生処理部１１に切り替える操作を行ったものとする（ステップＳ１１）。このとき、ユーザは、記録再生処理部１１を動作させる操作も行ったものとする。
【００４９】
この場合、モニタ装置２０の表示を記録再生処理部１１に切り替える信号及び記録再生処理部１１を動作させる信号が例えばリモコンユニットから記録再生装置１０に通知される（ステップＳ１２）。すると、記録再生処理部１１は動作を開始し（ステップＳ１３）、モニタ装置２０の表示は記録再生処理部１１に切り替えられる。記録再生処理部１１が動作することによって、記録再生処理部１１の表示出力部１１３は、例えば記録再生処理部１１の信号処理部１１２によって処理された映像データを表示切替部１４を介してモニタ装置２０に出力する（ステップＳ１４）。モニタ装置２０には、記録再生処理部１１の表示出力部１１３によって出力されたデータが表示される（ステップＳ１５）。
【００５０】
次に、ステップＳ１１と同様に、ユーザによって記録再生処理部１１から再生処理部１２に切り替える操作が行われたものとする（ステップＳ１６）。このとき、ユーザは、再生処理部１１を動作させる操作も行ったものとする。
【００５１】
この場合、モニタ装置２０の表示を再生処理部１２に切り替える信号及び再生処理部１２を動作させる信号が例えばリモコンユニットから記録再生装置１０に通知される（ステップＳ１７）。すると、再生処理部１２は動作を開始し（ステップＳ１８）、モニタ装置２０の表示は再生処理部１２に切り替えられる。このとき、モニタ装置２０の表示は記録再生処理部１１から再生処理部１２に切り替えられるが、ユーザによって特に中断の操作が行われない限り記録再生処理部１１の動作は中断しない。
【００５２】
再生処理部１２が動作することによって、再生処理部１２の表示出力部１２３は、表示切替部１４を介してモニタ装置２０に、例えば再生処理部１２の信号処理部１２２によって処理された映像データを出力する（ステップＳ１９）。モニタ装置２０では、再生処理部１２の表示出力部１２３によって出力されたデータが表示される（ステップＳ２０）。
【００５３】
ここで、記録再生処理部１１内で再生処理部１２に関係なく単独でイベントが発生し、記録再生処理部１１は当該イベントをユーザに告知するためのメッセージが発生したことを検知する（ステップＳ２１）。このとき、記録再生処理部１１は、ユーザに告知するためのメッセージ（を示すデータ）を表示切替部１４に出力する（ステップＳ２２）。しかしながら、現在モニタ装置２０の表示は、再生処理部１２が占有しているため、当該メッセージはモニタ装置２０には表示されない。
【００５４】
記録再生処理部１１のマイコン部１１１は、記録再生処理部１１内で発生したメッセージのレベルを確認し、当該メッセージが発生したことを再生処理部１２に通知（表示を要求）すべきか否かを判定する（ステップＳ２３）。
【００５５】
現在、モニタ装置２０の表示は再生処理部１２によるものであるため、記録再生処理部１１内で発生したメッセージが再生処理部１２に通知すべきメッセージである場合は、記録再生処理部１１から再生処理部１２に対して、記録再生処理部１１でメッセージが発生したことを表示するように要求される（ステップＳ２４）。
【００５６】
記録再生処理部１１から再生処理部１２に対して要求が通知されると、再生処理部１２は、当該通知に従い記録再生処理部１１でメッセージが発生したことを示すデータ（代替表示データ）を、表示切替部１４を介してモニタ装置に出力する（ステップＳ２５，２６）。すると、モニタ装置２０には、上記した図３に示すような代替表示が表示される（ステップＳ２７）。
【００５７】
上記した代替表示がなされている状態において、ユーザによってモニタ装置２０の表示を再生処理部１２から記録再生処理部１１に切り替える操作がされると（ステップＳ２８）、モニタ装置２０の表示を切り替えるための信号が記録再生装置１０に通知される（ステップＳ２９）。すると、記録再生装置１０全体の表示は、記録再生処理部１１の表示出力部１１３によって出力される映像データに切り替えられる。このとき、代替表示データは再生処理部１２によって消去される（ステップＳ３０）。モニタ装置２０の表示が記録再生処理部１１に切り替えられると、記録再生処理部１１は、既にステップＳ２２でメッセージを表示切替部１４に出力しているため、モニタ装置２０には当該メッセージが表示される（ステップＳ３１）。したがって、ユーザは、モニタ装置２０に表示されたメッセージを確認することができる。
【００５８】
上記したように本実施形態においては、再生処理部１２による表示がモニタ装置２０で行われている際に、記録再生処理部１１で発生したイベントについて、記録再生処理部１１の代わりに再生処理部１２が代替的にその旨を表示することが可能となる。これにより、ユーザは再生処理部１２による表示がなされている間であっても、記録再生処理部１１でイベントが発生したことを認識することが可能となる。また、本実施形態においては、再生処理部１２が代替的に表示を行うため、例えばモニタ装置２０に特別な表示出力機能を備えることなく実現することが可能である。
【００５９】
また、本実施形態においては、イベントのレベルに応じて、代替表示を要求するか否かが判定される。例えばイベントを告知するためのメッセージを３秒以上表示しない場合では、当該メッセージが発生したことを代替表示したとしても、ユーザによって表示が切り替えられるときには既に表示されていない可能性が高い。よって、例えばメッセージを３秒以上表示するものについてのみ代替表示を行うことにより、ユーザによって特に確認すべきイベントについてのみ代替表示を実行することが可能となる。
【００６０】
なお、本実施形態においては、代替表示例えばアイコン２０１をモニタ装置２０の表示画面２００上に表示することを説明したが、例えば記録再生装置１０本体に設けられた表示部に当該代替表示を表示する構成としても構わない。また、例えば記録再生装置１０本体に設けられた音声出力装置から、音声出力としてユーザに通知する構成であっても良い。また、代替表示専用の表示装置を設け、その表示装置に表示することも可能である。
【００６１】
また、本実施形態においては、処理部が２つである場合について説明したが、３つ以上である場合でも同様である。この場合でも、モニタ装置２０を占有する処理部にイベントが発生したことを通知することによって、代替表示を行うことが可能である。
【００６２】
また、本実施形態においては、再生処理部１２が、記録再生処理部１１でメッセージが発生したことを代替表示する場合について説明したが、逆に、記録再生処理部１１が代替表示を実行する構成であっても構わない。
【００６３】
また、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。
【図面の簡単な説明】
【００６４】
【図１】本発明の実施形態に係る記録再生装置１０の構成を示すブロック図。
【図２】図１の記録再生装置１０による代替表示の処理手順を示すフローチャート。
【図３】再生処理部１２の表示出力部１２３によって出力されているデータを表示中に、記録再生処理部１１でメッセージが発生したことが表示された場合のモニタ装置２０の表示画面２００の一例を示す図。
【図４】記録再生処理部１１で発生したイベントを告知するメッセージが表示されたモニタ装置２０の表示画面２００の一例を示す図。
【図５】ユーザ、記録再生処理部１１、再生処理部１２及びモニタ装置２０相互間における代替表示処理の流れを説明するための図。
【符号の説明】
【００６５】
１０…記録再生装置、１１…記録再生処理部、１２…再生処理部、１３…記憶部、１４…表示切替部、２０…モニタ装置、１１１…マイコン部、１１１ａ…メモリ、１１２…信号処理部、１１３…表示出力部、１２１…マイコン部、１２１ａ…メモリ、１２２…信号処理部、１２３…表示出力部、２００…表示画面。
【図１】
2007336071.tif 000003
【図２】
2007336071.tif 000004
【図３】
2007336071.tif 000005
【図４】
2007336071.tif 000006
【図５】
2007336071.tif 000007